(57)【要約】【課題】簡易な操作で異なる表示処理を実現可能な電子機器を提供する。【解決手段】電子機器は、ＣＰＵと、表示面と４つの側面とを有する表示部と、４つの側面のうちの１つの側面に加わる圧力を検出するための圧力センサとを備える。表示部は、タッチ入力を受け付ける。ＣＰＵは、タッチ入力がなされた状態で、圧力センサによって予め定められた値以上の圧力が検出されたときには、第１の表示処理を表示部に実行させ、予め定められた値以上の圧力が検出されなかったときには、第２の表示処理を表示部に実行させる。【選択図】図８
2013137697.tif 000002
【特許請求の範囲】
【請求項１】
プロセッサと、
表示面と４つの側面とを有する表示部と、
前記４つの側面のうちの第１の側面に加わる圧力を検出するための第１の圧力センサとを備え、
前記表示部は、タッチ入力を受け付け、
前記プロセッサは、前記タッチ入力がなされた状態で、前記第１の圧力センサによって予め定められた値以上の圧力が検出されたときには、第１の表示処理を前記表示部に実行させ、前記予め定められた値以上の圧力が検出されなかったときには、第２の表示処理を前記表示部に実行させる、電子機器。
【請求項２】
前記プロセッサは、
前記検出された圧力が前記予め定められた値以上である場合に、前記タッチ入力に基づく前記表示部への入力位置が、前記タッチ入力がなされた状態で前記第１の側面の向きに変化したときには、前記第１の表示処理を前記表示部に実行させ、
前記検出された圧力が前記予め定められた値以上でない場合に、前記タッチ入力に基づく前記表示部への入力位置が、前記タッチ入力がなされた状態で前記第１の側面の向きに変化したときには、前記第２の表示処理を、前記表示部に実行させる、請求項１に記載の電子機器。
【請求項３】
前記プロセッサは、
前記第１の表示処理として、前記変化に基づいた画像のスクロール処理を前記表示部に実行させ、
前記第２の表示処理として、前記スクロール処理を伴わない、前記入力位置の変化に基づいた画面表示を、前記表示部に実行させる、請求項２に記載の電子機器。
【請求項４】
前記プロセッサは、
前記表示部に選択可能な複数のオブジェクトを表示させ、
前記変化によって、前記入力位置が、前記複数のオブジェクトのうちの第１のオブジェクトを指定する第１の位置から、当該第１の位置よりも前記第１の側面側の第２のオブジェクトを指定する第２の位置になった場合、前記第２の表示処理として、前記第２のオブジェクトを選択した状態の画面表示を前記表示部に実行させる、請求項３に記載の電子機器。
【請求項５】
前記電子機器は、前記第１の側面の反対側の第２の側面に加わる圧力を検出するための第２の圧力センサをさらに備え、
前記プロセッサは、前記タッチ入力がなされた状態で、前記第１の圧力センサまたは前記第２の圧力センサによって前記予め定められた値以上の圧力が検出されたときには、前記第１の表示処理を前記表示部に実行させ、前記予め定められた値以上の圧力が検出されなかったときには、前記第２の表示処理を前記表示部に実行させる、請求項１から４のいずれか１項に記載の電子機器。
【請求項６】
前記プロセッサは、前記検出された圧力が前記予め定められた値以上である場合に、
前記タッチ入力に基づく前記表示部への入力位置が、前記タッチ入力がなされた状態で前記第１の側面の向きに変化したときには、前記第１の表示処理を前記表示部に実行させ、
前記タッチ入力に基づく前記表示部への入力位置が、前記タッチ入力がなされた状態で前記第１の側面の向きに変化しなかったときには、第３の表示処理を前記表示部に実行させる、請求項１に記載の電子機器。
【請求項７】
前記プロセッサは、
前記表示部に選択可能な複数のオブジェクトを表示させ、
前記第１の表示処理として、前記変化に基づいた画像のスクロール処理を前記表示部に実行させ、
前記第３の表示処理として、前記入力位置のオブジェクトの隣のオブジェクトを選択した状態の画面表示を、前記表示部に実行させる、請求項６に記載の電子機器。
【請求項８】
電子機器における表示制御方法であって、
前記電子機器は、プロセッサと、表示部と、前記表示部の側面に加わる圧力を検出するための圧力センサとを有し、
前記表示制御方法は、
前記プロセッサが、前記表示部へのタッチ入力がなされた状態で、前記圧力センサによって予め定められた値以上の圧力が検出されたときには、第１の表示処理を前記表示部に実行させるステップと、
前記プロセッサが、前記タッチ入力がなされた状態で、前記予め定められた値以上の圧力が検出されなかったときには、第２の表示処理を前記表示部に実行させるステップとを備える、表示制御方法。
【請求項９】
電子機器を制御するためのプログラムであって、
前記電子機器は、プロセッサと、表示部と、前記表示部の側面に加わる圧力を検出するための圧力センサとを有し、
前記プログラムは、
前記表示部へのタッチ入力がなされた状態で、前記圧力センサによって予め定められた値以上の圧力が検出されたときには、第１の表示処理を前記表示部に実行させるステップと、
前記タッチ入力がなされた状態で、前記予め定められた値以上の圧力が検出されなかったときには、第２の表示処理を前記表示部に実行させるステップとを、前記プロセッサに実行させる、プログラム。
【発明の詳細な説明】
【技術分野】
【０００１】
本発明は、電子機器、表示制御方法、およびプログラムに関する。特に、本発明は、表示部を備える電子機器、当該電子機器における表示制御方法、および当該電子機器を制御するためのプログラムに関する。
【背景技術】
【０００２】
従来、ユーザのタッチ入力（タッチ操作）を検出する機能を備えた電子機器が知られている。
【０００３】
特許文献１には、タッチ入力の開始と終了とを検知するラインセンサを備えた情報処理装置が開示されている。当該情報処理装置は、タッチ開始位置とタッチ終了位置とに基づいて、タッチ移動距離とタッチ移動方向とを算出する。さらに、情報処理装置は、タッチ移動距離が所定距離以上であると判断すると、タッチ開始位置に相当するメニュー項目からタッチ移動方向へと表示画面上のメニュー項目をスクロールし、所定距離以上でないと判断するとタッチ開始位置に相当するメニュー項目を選択する。
【０００４】
特許文献２には、タッチ入力を行なうためのタッチパッドを備えた携帯端末装置が開示されている。携帯端末装置は、検出されたタッチパッドの接触情報に基づき、接触領域の先端座標Ｙと接触領域の中心座標ｙとを算出する。また、携帯端末装置は、接触領域の移動の有無を判定する。携帯端末装置は、当該判定結果に基づき、先端座標Ｙまたは中心座標ｙを用いて接触点の移動量を算出する。ここで、携帯端末装置は、接触領域の移動時には先端座標によって移動量を算出し、接触領域の停止時、離反時、及び接触開始時には中心座標によって移動量を算出する。そして、携帯端末装置は、タッチパッド上での接触操作に対応した特定の位置を指示する指示座標として、相対座標または絶対座標を出力する。
【０００５】
特許文献３には、タッチ入力の位置を検出するための接触検出装置が開示されている。当該接触検出装置は、撓み波を利用してタッチ入力の位置を検出する。
【先行技術文献】
【特許文献】
【０００６】
【特許文献１】特開２００３−１０８２７９号公報
【特許文献２】特開２０１０−２０４８１１号公報
【特許文献３】特表２００４−５３４３２９号公報
【発明の概要】
【発明が解決しようとする課題】
【０００７】
しかしながら、特許文献１では、タッチ移動距離が所定距離以上でない場合には、タッチ位置が移動していても、タッチ開始位置に相当するメニュー項目が選択されることになる。つまり、特許文献１では、タッチした状態で他のメニュー（オブジェクト）を選択することはできない。また、特許文献２では、スクロール処理とオブジェクトの選択処理とを切換えることはできない。特許文献３も、単に接触位置を検出するだけの構成である。
【０００８】
特に、スマートフォン等の小型の電子機器では、複数の小さなオブジェクトを選択可能に一覧表示することがなされる。この場合、ユーザは、オブジェクトの表示領域が狭いため、所望とするオブジェクトの選択に失敗することが多々ある。また、所望とするオブジェクトを選択するためには、スクロール処理を行なう必要が生じる場合もある。
【０００９】
本願発明は、上記問題点に鑑みなされたものであって、その目的は、簡易な操作で異なる表示処理を実現可能な電子機器、当該電子機器における表示制御方法、および当該電子機器を制御するためのプログラムを提供することにある。
【課題を解決するための手段】
【００１０】
本発明の或る局面に従うと、電子機器は、プロセッサと、表示面と４つの側面とを有する表示部と、４つの側面のうちの第１の側面に加わる圧力を検出するための第１の圧力センサとを備える。表示部は、タッチ入力を受け付ける。プロセッサは、タッチ入力がなされた状態で、第１の圧力センサによって予め定められた値以上の圧力が検出されたときには、第１の表示処理を表示部に実行させ、予め定められた値以上の圧力が検出されなかったときには、第２の表示処理を表示部に実行させる。
【００１１】
好ましくは、プロセッサは、検出された圧力が予め定められた値以上である場合に、タッチ入力に基づく表示部への入力位置が、タッチ入力がなされた状態で第１の側面の向きに変化したときには、第１の表示処理を表示部に実行させる。プロセッサは、検出された圧力が予め定められた値以上でない場合に、タッチ入力に基づく表示部への入力位置が、タッチ入力がなされた状態で第１の側面の向きに変化したときには、第２の表示処理を、表示部に実行させる。
【００１２】
好ましくは、プロセッサは、第１の表示処理として、変化に基づいた画像のスクロール処理を表示部に実行させる。プロセッサは、第２の表示処理として、スクロール処理を伴わない、入力位置の変化に基づいた画面表示を、表示部に実行させる。
【００１３】
好ましくは、プロセッサは、表示部に選択可能な複数のオブジェクトを表示させる。プロセッサは、変化によって、入力位置が、複数のオブジェクトのうちの第１のオブジェクトを指定する第１の位置から、当該第１の位置よりも第１の側面側の第２のオブジェクトを指定する第２の位置になった場合、第２の表示処理として、第２のオブジェクトを選択した状態の画面表示を表示部に実行させる。
【００１４】
好ましくは、電子機器は、第１の側面の反対側の第２の側面に加わる圧力を検出するための第２の圧力センサをさらに備える。プロセッサは、タッチ入力がなされた状態で、第１の圧力センサまたは第２の圧力センサによって予め定められた値以上の圧力が検出されたときには、第１の表示処理を表示部に実行させ、予め定められた値以上の圧力が検出されなかったときには、第２の表示処理を表示部に実行させる。
【００１５】
好ましくは、プロセッサは、検出された圧力が予め定められた値以上である場合に、タッチ入力に基づく表示部への入力位置が、タッチ入力がなされた状態で第１の側面の向きに変化したときには、第１の表示処理を表示部に実行させ、タッチ入力に基づく表示部への入力位置が、タッチ入力がなされた状態で第１の側面の向きに変化しなかったときには、第３の表示処理を表示部に実行させる。
【００１６】
好ましくは、プロセッサは、表示部に選択可能な複数のオブジェクトを表示させ、第１の表示処理として、変化に基づいた画像のスクロール処理を表示部に実行させ、第３の表示処理として、入力位置のオブジェクトの隣のオブジェクトを選択した状態の画面表示を、表示部に実行させる。
【００１７】
本発明の他の局面に従うと、表示制御方法は、電子機器において実行される。電子機器は、プロセッサと、表示部と、表示部の側面に加わる圧力を検出するための圧力センサとを有する。表示制御方法は、プロセッサが、表示部へのタッチ入力がなされた状態で、圧力センサによって予め定められた値以上の圧力が検出されたときには、第１の表示処理を表示部に実行させるステップと、プロセッサが、タッチ入力がなされた状態で、予め定められた値以上の圧力が検出されなかったときには、第２の表示処理を表示部に実行させるステップとを備える。
【００１８】
本発明のさらに他の局面に従うと、プログラムは、電子機器を制御するために用いられる。電子機器は、プロセッサと、表示部と、表示部の側面に加わる圧力を検出するための圧力センサとを有する。プログラムは、表示部へのタッチ入力がなされた状態で、圧力センサによって予め定められた値以上の圧力が検出されたときには、第１の表示処理を表示部に実行させるステップと、タッチ入力がなされた状態で、予め定められた値以上の圧力が検出されなかったときには、第２の表示処理を表示部に実行させるステップとを、プロセッサに実行させる。
【発明の効果】
【００１９】
本発明によれば、簡易な操作で異なる表示処理を実現可能となる。
【図面の簡単な説明】
【００２０】
【図１】携帯型電話機の外観を示した図である。
【図２】タッチスクリーンを説明するための図である。
【図３】携帯型電話機のハードウェア構成を示した図である。
【図４】携帯型電話機の内部構造を説明するための図である。
【図５】第１の表示処理を説明するための図である。
【図６】第２の表示処理を説明するための図である。
【図７】携帯型電話機が、横方向表示を行なっている状態を表した図である。
【図８】携帯型電話機の処理の流れを表したフローチャートである。
【図９】携帯型電話機の異なる処理を説明するための図である。
【図１０】図９に基づいて説明した携帯型電話機の処理の流れを表したフローチャートである。
【発明を実施するための形態】
【００２１】
以下、図面を参照しつつ、本発明の実施の形態に係る電子機器について説明する。以下の説明では、同一の部品には同一の符号を付してある。それらの名称および機能も同じである。したがって、それらについての詳細な説明は繰り返さない。
【００２２】
本発明の実施の形態に係る電子機器としては、スマートフォンを含む携帯型電話機、ＰＤＡ（Personal Digital Assistant）、タブレット型のコンピュータ、ラップトップ型のコンピュータ、デスクトップ型のコンピュータ、デジタルフォトアルバム（デジタルフォトフレーム）、電子辞書、電子ブックリーダ等が挙げられる。以下では、電子機器として、携帯型電話機を例に挙げて説明する。
【００２３】
また、本実施の形態では、タッチスクリーンについての「移動」とは、形状変化を伴わずにタッチスクリーンが携帯型電話機の筐体内において位置を変化させることを意味する。また、圧力センサについての「変位」とは、圧力センサの形状変化を伴う変形を意味する。また、「移動」および「変位」は、目視できない程度の微小な変化も含む。
【００２４】
図１は、携帯型電話機１の外観を示した図である。図１を参照して、携帯型電話機１は、開口部１０ａを有する筐体１０と、表示部として機能するタッチスクリーン１０５と、操作キー１０７とを備える。詳細については後述するが、タッチスクリーン１０５は、筐体１０内において、Ｘ方向の正の向きおよび負の向きとＹ方向の正の向きおよび負の向きとの４つの向きに、移動（変位）可能に構成されている。なお、移動量については後述する（図４）。
【００２５】
図２は、タッチスクリーン１０５を説明するための図である。図２を参照して、タッチスクリーン１０５は、略直方体の形状を有している。タッチスクリーン１０５は、表示面である主面５００と、側面５０１と、側面５０１の反対側の側面５０２と、側面５０３と、側面５０３の反対側の側面５０４と、主面５００に対する裏面５０５とを備えている。
【００２６】
側面５０１の法線Ｎ１と側面５０２の法線Ｎ２とは平行である。側面５０３の法線Ｎ３と側面５０４の法線Ｎ４とは平行である。法線Ｎ１と法線Ｎ３とは直交している。
【００２７】
図３は、携帯型電話機１のハードウェア構成を示した図である。図３を参照して、携帯型電話機１は、プログラムを実行するＣＰＵ（Central Processing Unit）１０１と、データを不揮発的に格納するＲＯＭ（Read Only Memory）１０２と、データを揮発的に格納するＲＡＭ（Random Access Memory）１０３と、フラッシュメモリ１０４と、タッチスクリーン１０５と、スピーカ１０６と、携帯型電話機１のユーザによる指示の入力を受ける操作キー１０７と、通信ＩＦ（Interface）１０８と、ＩＣ（Integrated Circuit）カードリーダライタ１０９と、電源ユニット１１０と、圧力センサ１１１と、圧力センサ１１２と、圧力センサ１１３と、圧力センサ１１４とを備える。
【００２８】
タッチスクリーン１０５は、表示装置としてのディスプレイ１０５１と、入力装置としてのタッチパネル１０５２とにより構成される。具体的には、タッチスクリーン１０５は、ディスプレイ１０５１（たとえば液晶ディスプレイ）上にタッチパネル１０５２を位置決めした上で固定することにより実現される。なお、タッチスクリーンは、タッチパネルディスプレイ、タッチパネル付きディスプレイ、あるいはタッチパネルモニタとも称される。なお、タッチスクリーン１０５においては、タッチ位置の検出方法として、たとえば抵抗膜方式または静電容量方式を用いることができる。
【００２９】
フラッシュメモリ１０４は、不揮発性の半導体メモリである。フラッシュメモリ１０４は、ＣＰＵ１０１が実行するプログラム、圧力に関する予め定められた値（以下、「閾値Ｔｈ」と称する）等の各種データを格納している。また、フラッシュメモリ１０４は、携帯型電話機１が生成したデータ、携帯型電話機１の外部装置から取得したデータ等の各種データを揮発的に格納する。
【００３０】
スピーカ１０６は、ＣＰＵ１０１からの指令に応じて音を発生させる。通信ＩＦ１０８は、他の装置と通信を行なうための用いられるインターフェースである。通信ＩＦ１０８は、無線および／または有線にてデータを送信するための処理を行なう。
【００３１】
タッチパネル１０５２は、ユーザの指およびスタイラスペン等による入力（タッチ入力）を受け付ける入力デバイスである。ＣＰＵ１０１は、タッチパネル１０５２からの出力に基づいて入力位置を特定し、当該特定した入力位置に基づいた画面表示を行なう。なお、当該タッチパネル１０５２を含むタッチスクリーン１０５は、タッチスクリーン１０５が変位可能に構成されている点を除き、従来のタッチスクリーンと同じ機能を有するため、ここでは、詳細な説明は繰り返さない。
【００３２】
圧力センサ１１１〜１１４は、タッチスクリーン１０５の変位により生じる圧力を検出するためのデバイスである。圧力センサ１１１〜１１４の設置場所、設置方法等については後述する（図４）。
【００３３】
各構成要素１０１〜１１４は、相互にデータバスによって接続されている。ＩＣカードリーダライタ１０９には、メモリカード１０９１が装着される。
【００３４】
携帯型電話機１における処理は、各ハードウェアおよびＣＰＵ１０１により実行されるソフトウェアによって実現される。このようなソフトウェアは、フラッシュメモリ１０４に予め記憶されている場合がある。また、ソフトウェアは、メモリカード１０９１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１０９その他の読取装置によりその記憶媒体から読み取られて、あるいは、通信ＩＦを介してダウンロードされた後、フラッシュメモリ１０４に一旦格納される。そのソフトウェアは、ＣＰＵ１０１によってフラッシュメモリ１０４から読み出され、さらにフラッシュメモリ１０４に実行可能なプログラムの形式で格納される。ＣＰＵ１０１は、そのプログラムを実行する。
【００３５】
同図に示される携帯型電話機１を構成する各構成要素は、一般的なものである。したがって、本発明の本質的な部分は、フラッシュメモリ１０４、メモリカード１０９１その他の記憶媒体に格納されたソフトウェア、あるいはネットワークを介してダウンロード可能なソフトウェアであるともいえる。なお、携帯型電話機１の各ハードウェアの動作は周知であるので、詳細な説明は繰り返さない。
【００３６】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００３７】
ここでいうプログラムとは、ＣＰＵにより直接実行可能なプログラムだけでなく、ソースプログラム形式のプログラム、圧縮処理されたプログラム、暗号化されたプログラム等を含む。
【００３８】
図４は、携帯型電話機１の内部構造を説明するための図である。図４（ａ）は、図１のＩＶａ−ＩＶａ線矢視断面図である。図４（ｂ）は、図１のＩＶｃ−ＩＶｃ線矢視断面図である。図４（ｃ）は、図４（ａ）の状態からの遷移図である。
【００３９】
図４（ａ）を参照して、携帯型電話機１は、上述したように、４つの圧力センサ１１１〜１１４を備えている。圧力センサ１１１〜１１４は、筐体１０内の予め定められた位置に設置されている。具体的には、圧力センサ１１１は、タッチスクリーン１０５の側面５０１側の位置に設置されている。同様に、圧力センサ１１２〜１１４は、それぞれ、側面５０２，５０３，５０４側に設置されている。
【００４０】
圧力センサ１１１は、タッチスクリーン１０５の側面５０１に当接している。同様に、圧力センサ１１２〜１１４は、それぞれ、側面５０２，５０３，５０４に当接している。これにより、圧力センサ１１１〜１１４の各々は、タッチスクリーン１０５を保持する役割も果たしている。
【００４１】
圧力センサ１１１〜１１４は、一定の向きに力が加わると当該向きに変位する。たとえば、圧力センサ１１１は、Ｙ軸方向の正の向き（図の下向き）の力が加わると、当該正の向きに、厚みが縮んだ状態となる。同様に、圧力センサ１１２は、Ｙ軸方向の負の向き（図の上向き）の力が加わると、当該負の向きに、厚みが縮んだ状態となる。同様に、圧力センサ１１３は、Ｘ軸方向の負の向き（図の左向き）の力が加わると、当該負の向きに、厚みが縮んだ状態となる。圧力センサ１１４は、Ｘ軸方向の正の向き（図の右向き）の力が加わると、当該正の向きに、厚みが縮んだ状態となる。
【００４２】
圧力センサ１１１〜１１４は、タッチスクリーン１０５を保持するための接触圧（タッチスクリーンの荷重による圧を含む）と、タッチスクリーン１０５の４つの向きへの移動により生じる圧力とを検出する。言い換えると、圧力センサ１１１〜１１４は、それぞれ、側面５０１，５０２，５０３，５０４に加わる圧力を検出する。
【００４３】
図４（ｂ）を参照して、携帯型電話機１のユーザによる矢印８０１の向きの力によって、タッチスクリーン１０５がＹ軸方向の正の向きに移動した場合、圧力センサ１１１は変位する。これにより、圧力センサ１１１には、圧力センサ１１２〜１１４よりも大きな圧力を検出することになる。なお、図中の“δ”は、タッチスクリーン１０５の移動量を表すとともに、圧力センサ１１１の変位量を表している。以下では、説明を簡略化するため、便宜上、タッチスクリーン１０５を保持するための接触圧を“０”とする。
【００４４】
図４（ｃ）を参照して、ユーザがタッチスクリーン１０５に対して矢印８０９の向きに力Ｆａで入力を行なった場合、圧力センサ１１１は、ｆ１＝Ｆａ×ｃｏｓθの圧力を検出する。なお、Ｚ軸方向の正の向き（図の下向き）の力の成分は、ｆ２＝Ｆａ×ｓｉｎθとなる。
【００４５】
携帯型電話機１は、圧力ｆ１が、予め定められた値以上であるか否かを判断する。具体的には、携帯型電話機１は、圧力ｆ１が、フラッシュメモリ１０４に格納されていた閾値Ｔｈ以上であるか否かを判断する。携帯型電話機１は、検出された圧力が閾値Ｔｈ以上か未満かで、タッチスクリーン１０５への入力に対して異なる処理を実行する。なお、以下では、検出された圧力が閾値Ｔｈ以上の場合に行なう表示処理を、「第１の表示処理」と、検出された圧力が閾値Ｔｈ未満の場合に行なう表示処理を、「第２の表示処理」とも称する。
【００４６】
図５は、第１の表示処理を説明するための図である。図５（ａ）を参照して、携帯型電話機１は、たとえばユーザの指示に基づき、タッチスクリーン１０５に複数の選択可能なオブジェクトを表示する。図５（ｂ）を参照して、携帯型電話機１は、図５（ａ）の状態においてユーザの指９０１の先端部を用いたオブジェクトを選択するための入力を受け付けると、当該オブジェクトが選択された状態であることを表す画面表示を行なう。なお、図５（ｂ）では、オブジェクトＰＣ−００４が選択状態となっている。位置Ｐ１は、オブジェクトＰＣ−００４の位置である。
【００４７】
図５（ｃ）を参照して、Ｙ軸方向の正の向き（圧力センサ１１１の向き）に閾値Ｔｈ以上の力ｆ１が作用し、かつ、タッチスクリーン１０５への入力位置が、タッチスクリーン１０５への入力がなされた状態で圧力センサ１１１の向き（図の矢印８０２，８０３の向き）に変化したとする。具体的には、入力位置が、位置Ｐ１から位置Ｐ２へと変化したとする。この場合、携帯型電話機１は、第１の表示処理として、上記変化に基づいた画像のスクロール処理をタッチスクリーン１０５に実行させる。具体的には、携帯型電話機１は，画面下方向へのスクロール処理を実行する。
【００４８】
なお、「タッチスクリーン１０５への入力がなされた状態」とは、ユーザがタッチスクリーン１０５に指を接触させ続けている状態を意味する。また、上記においては、Ｙ軸方向の正の向きに閾値Ｔｈ以上の力ｆ１が作用しているため、タッチスクリーン１０５は圧力センサ１１１の向きに移動することになる。図５（ｃ）では、タッチスクリーン１０５が移動する前の位置を破線で表している。
【００４９】
また、図５（ｃ）の状態から、ユーザが、矢印８０２，８０３とは反対の向きに閾値Ｔｈ以上の力を作用させて、タッチスクリーン１０５への入力位置を、タッチスクリーン１０５への入力がなされた状態で圧力センサ１１２の向きに変化させたとする。この場合には、携帯型電話機１は、第１の表示処理として、携帯型電話機１は，画面上方向へのスクロール処理を実行する。
【００５０】
図６は、第２の表示処理を説明するための図である。図６（ａ）を参照して、図５（ａ）と同様に、携帯型電話機１は、タッチスクリーン１０５に複数の選択可能なオブジェクトを表示する。図６（ｂ）を参照して、携帯型電話機１は、図５（ｂ）と同様に、指９０１の先端部を用いたオブジェクトを選択するための入力を受け付けると、当該オブジェクトが選択された状態であることを表す画面表示を行なう。なお、図６（ｂ）では、オブジェクトＰＣ−００４が選択状態となっている。位置Ｐ１は、オブジェクトＰＣ−００４の位置である。
【００５１】
図６（ｃ）を参照して、Ｙ軸方向の正の向きに閾値Ｔｈ以上の力ｆ１が作用せずに、タッチスクリーン１０５への入力位置が、タッチスクリーン１０５への入力がなされた状態で圧力センサ１１１の向きに変化したとする。具体的には、ユーザが、矢印８０４の向きに指９０１を動かして、タッチスクリーン１０５の主面５００（表示面）に対する指９０１の傾きを緩やかにすることにより、入力位置が位置Ｐ１から位置Ｐ３へと変化したとする。
【００５２】
この場合、携帯型電話機１は、第２の表示処理として、スクロール処理を伴わない、入力位置の変化に基づいた画面表示を、タッチスクリーン１０５に実行させる。具体的には、入力位置が、オブジェクトＰＣ−００４を指定する位置Ｐ１から、位置Ｐ１よりも側面５０１側のオブジェクトＰＣ−００５を指定する位置Ｐ３になった場合、携帯型電話機１は、第２の表示処理として、オブジェクトＰＣ−００５を選択した状態の画面表示をタッチスクリーン１０５に実行させる。また、入力位置が、オブジェクトＰＣ−００４を指定する位置Ｐ１から、位置Ｐ１よりも側面５０１側のオブジェクトＰＣ−００６を指定する位置（図示せず）になった場合、携帯型電話機１は、第２の表示処理として、オブジェクトＰＣ−００６を選択した状態の画面表示をタッチスクリーン１０５に実行させる。
【００５３】
なお、選択状態となるオブジェクトが変更された場合、当該変更後のオブジェクト（たとえば、ＰＣ−００５，ＰＣ−００６）が実行可能なファイルを表すものであるときには、携帯型電話機１は、当該ファイルを実行してもよい。また、当該変更後のオブジェクトがフォルダであるとき、携帯型電話機１は、当該ファイルを開く処理を実行してもよい。また、当該変更後のオブジェクトがＵＲＬ等のデータの保存先を表すものであるとき、携帯型電話機１は、当該保存先のデータに基づく画像をディスプレイ１０５１に表示させてもよい。
【００５４】
一方、ユーザは、矢印８０４とは反対の向きに指９０１を動かして、タッチスクリーン１０５の主面５００（表示面）に対する指９０１の傾きを急にすることにより、たとえば、位置Ｐ１よりも側面５０２側のオブジェクトＰＣ−００３を選択することも可能となる。
【００５５】
ところで、入力位置に応じたオブジェクトを再選択する代わりに、携帯型電話機１を以下のように構成してもよい。すなわち、最初に選択されているオブジェクトとは異なるオブジェクトの位置に指９０１を動かした場合には、常に、最初に選択されているオブジェクトに隣接するオブジェクトを選択するように構成してもよい。具体例を挙げれば、以下のとおりである。図６（ｃ）を再度参照して、指９０１の傾きを図６（ｃ）の実線の状態からさらに緩やかにすることによって、指９０１の先端部の位置がオブジェクトＰＣ−００６の位置に達したとする。この場合であっても、オブジェクトＰＣ−００６を選択するのではなく、オブジェクトＰＣ−００４の隣のオブジェクトＰＣ−００５を選択するように、携帯型電話機１を構成してもよい。
【００５６】
以上のように、携帯型電話機１は、指９０１の接触状態を保ったままの状態で入力位置が変化した場合に、圧力センサが閾値Ｔｈ以上の圧力を検出したか否かに応じて、スクロール処理、あるいは、スクロール処理を伴わないオブジェクトの選択変更処理を実行する。したがって、ユーザは、タッチスクリーン１０５への入力の際の力を変化させるだけで、上記のような異なる処理を携帯型電話機１に実行させることができる。それゆえ、携帯型電話機１はユーザにとって利便性に優れる。
【００５７】
図７は、携帯型電話機１が、横方向表示を行なっている状態を表した図である。図７を参照して、携帯型電話機１が横方向表示（つまり、Ｘ軸方向が天地方向となる表示）を行なっている場合には、画面のスクロール処理およびオブジェクトの選択に、圧力センサ１１３，１１４での検出結果が用いられる。なお、スクロール処理とオブジェクトの選択とについては、それぞれ図５、６に基づいて説明したため、ここでは説明を繰り返さない。
【００５８】
図８は、携帯型電話機１の処理の流れを表したフローチャートである。図８を参照して、ステップＳ２において、携帯型電話機１のＣＰＵ１０１は、タッチパネル１０５２への入力があったか否かを判断する。ＣＰＵ１０１は、入力があったと判断した場合（ステップＳ２においてＹＥＳ）、ステップＳ４において、閾値Ｔｈ以上の圧力を検出した圧力センサがあるか否かを判断する。ＣＰＵ１０１は、入力がないと判断した場合（ステップＳ２においてＮＯ）、処理をステップＳ２に進める。
【００５９】
ＣＰＵ１０１は、閾値Ｔｈ以上の圧力を検出した圧力センサがあると判断した場合（ステップＳ４においてＹＥＳ）、ステップＳ６において、タッチパネル１０５２への入力がなされた状態で、タッチパネル１０５２への入力位置が変化したか否かを判断する。ＣＰＵ１０１は、入力位置が変化したと判断した場合（ステップＳ６においてＹＥＳ）、ステップＳ８において、閾値Ｔｈ以上の圧力を検出した圧力センサの方向に画像をスクロールする（図５（ｃ））。ＣＰＵ１０１は、入力位置が変化していないと判断した場合（ステップＳ６においてＮＯ）、処理をステップＳ１０に進める。
【００６０】
ＣＰＵ１０１は、閾値Ｔｈ以上の圧力を検出した圧力センサがないと判断した場合（ステップＳ４においてＮＯ）、ステップＳ１２において、タッチパネル１０５２への入力がなされた状態で、タッチパネル１０５２への入力位置が変化したか否かを判断する。ＣＰＵ１０１は、入力位置が変化したと判断した場合（ステップＳ１２においてＹＥＳ）、ステップＳ１４において、スクロール処理を伴わない、入力位置の変化に基づいた画像表示を行なう（図６（ｃ））。ＣＰＵ１０１は、入力位置が変化していないと判断した場合（ステップＳ１２においてＮＯ）、処理をステップＳ１０に進める。
【００６１】
ステップＳ１０において、ＣＰＵ１０１は、タッチパネル１０５２への入力がなくなったか否かを判断する。ＣＰＵ１０１は、入力がなくなったと判断した場合（ステップＳ１０においてＹＥＳ）、一連の処理を終了する。ＣＰＵ１０１は、入力がなくなっていないと判断した場合（ステップＳ１０においてＮＯ）、処理をステップＳ４に進める。
【００６２】
なお、ＣＰＵ１０１は、タッチパネル１０５２への入力位置が変化していないと判断した場合（ステップＳ６においてＮＯおよびステップＳ１２においてＮＯ）、タッチパネル１０５２への入力を受け付けたときの状態の表示画面を、ディスプレイ１０５１に表示させ続ける。つまり、ＣＰＵ１０１は、表示処理の内容を変更しない。あるいは、ＣＰＵ１０１は、オブジェクトに対する長押処理と判断し、当該長押処理に応じた表示処理をディスプレイ１０５１に実行させる。
【００６３】
（携帯型電話機１の処理のまとめ）
携帯型電話機１の処理内容を、４つの圧力センサのうちの１つの圧力センサ（以下では、便宜上、圧力センサ１１１とする）に着目して記述すると以下のとおりである。
【００６４】
（１）携帯型電話機１は、ＣＰＵ１０１と、表示面である主面５００と４つの側面５０１〜５０４とを有するタッチスクリーン１０５と、４つの側面５０１〜５０４のうちの側面５０１に加わる圧力を検出するための圧力センサ１１１とを備える。タッチスクリーン１０５は、タッチ入力を受け付ける。ＣＰＵ１０１は、当該タッチ入力がなされた状態で、圧力センサ１１１によって閾値Ｔｈ以上の圧力が検出されたときには第１の表示処理（図８のステップＳ８）をタッチスクリーン１０５に実行させ、予め定められた値以上の圧力が検出されなかったときには第２の表示処理（図８のステップＳ１４）をタッチスクリーン１０５に実行させる。
【００６５】
したがって、携帯型電話機１は、圧力センサによって検出した圧力に応じて、異なる表示処理をタッチスクリーン１０５に実行させることができる。それゆえ、携帯型電話機１によれば、簡易な操作で異なる表示処理を実現可能となる。
【００６６】
（２）具体的には、検出された圧力が閾値Ｔｈ以上である場合に、タッチ入力に基づくタッチスクリーン１０５への入力位置が、当該タッチ入力がなされた状態で側面５０１の向きに変化したときには、ＣＰＵ１０１は、第１の表示処理をタッチスクリーン１０５に実行させる。また、検出された圧力が閾値Ｔｈ以上でない場合に、タッチ入力に基づくタッチスクリーン１０５への入力位置が、当該タッチ入力がなされた状態で側面５０１の向きに変化したときには、ＣＰＵ１０１は、第２の表示処理を、タッチスクリーン１０５に実行させる。したがって、ユーザはタッチスクリーン１０５への入力状態を保ったままで、異なる表示処理をタッチスクリーン１０５に実行させることができる。
【００６７】
（３）詳しくは、検出された圧力が閾値Ｔｈ以上である場合に、タッチ入力に基づくタッチスクリーン１０５への入力位置が、当該タッチ入力がなされた状態で側面５０１の向きに変化したとき、ＣＰＵ１０１は、図５に基づいて説明したように、第１の表示処理として、当該変化に基づいた画像のスクロール処理をタッチスクリーン１０５に実行させる。一方、検出された圧力が閾値Ｔｈ以上でない場合に、タッチ入力に基づくタッチスクリーン１０５への入力位置が、当該タッチ入力がなされた状態で側面５０１の向きに変化したとき、ＣＰＵ１０１は、図６に基づいて説明したように、第２の表示処理として、スクロール処理を伴わない、入力位置の変化に基づいた画面表示を、タッチスクリーン１０５に実行させる。
【００６８】
したがって、ユーザは、圧力センサ１１１に閾値以上の圧力を加えた状態で入力位置を変化させることによって、携帯型電話機１にスクロール処理を実行させることができる。また、ユーザは、圧力センサ１１１に閾値以上の圧力を加えない状態で入力位置を変化させることによって、スクロール処理を携帯型電話機１に実行させることなく、入力位置の変化に基づいた画面表示を携帯型電話機１に実行させることができる。
【００６９】
（４）より詳しくは、ＣＰＵ１０１は、タッチスクリーン１０５に選択可能な複数のオブジェクトを表示させる。ＣＰＵ１０１は、上記変化によって、入力位置が、複数のオブジェクトのうちの第１のオブジェクト（たとえばオブジェクトＰＣ−００４）を指定する第１の位置（たとえば図６（ｂ），（ｃ）の位置Ｐ１）から、当該第１の位置よりも側面５０１側の第２のオブジェクト（たとえば、オブジェクトＰＣ−００５）を指定する第２の位置（図６（ｃ）の位置Ｐ３）になった場合、第２の表示処理として、第２のオブジェクトを選択した状態の画面表示をタッチスクリーン１０５に実行させる。したがって、ユーザは、圧力センサ１１１に閾値以上の圧力を加えない状態で入力位置を変化させることによって、選択状態とするオブジェクトを、圧力を加えた側に表示されているオブジェクトに変更することができる。
【００７０】
＜第１の変形例＞
上記においては、携帯型電話機１が、閾値以上の圧力を検出した場合にスクロール処理を実行し、閾値Ｔｈ以上の圧力を検出しなかった場合に、オブジェクトの再選択処理を実行する構成について説明した。以下では、閾値以上の圧力を検出した場合に、タッチパネル１０５２への入力位置が変化したか否かに応じて、スクロール処理とオブジェクトの再選択処理とのいずれか一方を実行する構成について説明する。
【００７１】
なお、以下では、検出された圧力が閾値Ｔｈ以上の場合においてタッチパネル１０５２への入力位置が変化したときに行なう表示処理を、「第１の表示処理」と称する。また、検出された圧力が閾値Ｔｈ未満の場合に行なう表示処理を、「第２の表示処理」とも称する。さらに、検出された圧力が閾値Ｔｈ以上の場合においてタッチパネル１０５２への入力位置が変化しなかったときに行なう表示処理を、「第３の表示処理」と称する。なお、本変形例においては、第２の表示処理は、たとえば、タッチパネル１０５２への入力を受け付けたときの状態の表示画面を、ディスプレイ１０５１に表示させ続ける処理である。あるいは、第２の表示処理は、長押処理に応じた表示処理である。
【００７２】
図９は、携帯型電話機１の異なる処理を説明するための図である。図９（ａ）を参照して、携帯型電話機１は、ユーザの指９０１の先端部を用いたオブジェクトを選択するための入力を受け付けると、当該オブジェクトが選択された状態であることを表す画面表示を行なう。なお、図９（ａ）では、図５（ｂ），図６（ｂ）と同様、オブジェクトＰＣ−００４が選択状態となっている。上述したように、位置Ｐ１は、オブジェクトＰＣ−００４の位置である。
【００７３】
図９（ｂ）を参照して、Ｙ軸方向の正の向き（圧力センサ１１１の向き）に閾値Ｔｈ以上の力ｆ１が作用し、かつ、タッチスクリーン１０５への入力位置が、タッチスクリーン１０５への入力がなされた状態で圧力センサ１１１の向きに変化したとする。具体的には、入力位置が、位置Ｐ１から位置Ｐ２へと変化したとする。この場合、携帯型電話機１は、第１の表示処理として、図５（ｃ）に基づいて説明した処理と同じ処理を行なう。すなわち、携帯型電話機１は、上記変化に基づいた画像のスクロール処理をタッチスクリーン１０５に実行させる。具体的には、携帯型電話機１は，画面下方向へのスクロール処理を実行する。
【００７４】
図９（ｃ）を参照して、Ｙ軸方向の正の向きに閾値Ｔｈ以上の力ｆ１が作用しているが、タッチスクリーン１０５への入力位置が変化しない場合には、携帯型電話機１は、第３の表示処理として、オブジェクトＰＣ−００４よりも側面５０１側のオブジェクトＰＣ−００５を選択した状態の画面表示をタッチスクリーン１０５に実行させる。つまり、携帯型電話機１は、入力位置のオブジェクトの隣のオブジェクトであって、力ｆ１を加えた向きに位置するオブジェクトを選択する。
【００７５】
図１０は、図９に基づいて説明した携帯型電話機１の処理の流れを表したフローチャートである。図１０を参照して、ステップＳ１０２において、携帯型電話機１のＣＰＵ１０１は、タッチパネル１０５２への入力があったか否かを判断する。ＣＰＵ１０１は、入力があったと判断した場合（ステップＳ１０２においてＹＥＳ）、ステップＳ１０４において、オブジェクトが選択されたか否かを判断する。ＣＰＵ１０１は、入力がないと判断した場合（ステップＳ１０２においてＮＯ）、処理をステップＳ１０２に進める。
【００７６】
ＣＰＵ１０１は、オブジェクトが選択されたと判断した場合（ステップＳ１０４においてＹＥＳ）、ステップＳ１０６において、閾値Ｔｈ以上の圧力を検出した圧力センサがあるか否かを判断する。ＣＰＵ１０１は、オブジェクトが選択されていないと判断した場合（ステップＳ１０４においてＮＯ）、処理をステップＳ１０２に進める。
【００７７】
ＣＰＵ１０１は、閾値Ｔｈ以上の圧力を検出した圧力センサがあると判断した場合（ステップＳ１０６においてＹＥＳ）、ステップＳ１０８において、タッチパネル１０５２への入力がなされた状態で、タッチパネル１０５２への入力位置が変化したか否かを判断する。ＣＰＵ１０１は、入力位置が変化したと判断した場合（ステップＳ１０８においてＹＥＳ）、ステップＳ１１０において、閾値Ｔｈ以上の圧力を検出した圧力センサの方向に画像をスクロールする（図９（ｂ））。ＣＰＵ１０１は、入力位置が変化していないと判断した場合（ステップＳ１０８においてＮＯ）、閾値Ｔｈ以上の圧力を検出した圧力センサ側の隣のオブジェクトを選択状態とする（図９（ｃ））。
【００７８】
ＣＰＵ１０１は、閾値Ｔｈ以上の圧力を検出した圧力センサがないと判断した場合（ステップＳ１０６においてＮＯ）、処理をステップＳ１１２に進める。ステップＳ１１２において、ＣＰＵ１０１は、タッチパネル１０５２への入力がなくなったか否かを判断する。ＣＰＵ１０１は、入力がなくなったと判断した場合（ステップＳ１１２においてＹＥＳ）、一連の処理を終了する。ＣＰＵ１０１は、入力がなくなっていないと判断した場合（ステップＳ１１２においてＮＯ）、処理をステップＳ１０６に進める。なお、ＣＰＵ１０１は、閾値Ｔｈ以上の圧力を検出した圧力センサがないと判断した場合（ステップＳ１０６においてＮＯ）、第２の表示処理をディスプレイ１０５１に実行させる。
【００７９】
また、タッチスクリーン１０５への入力がなされた状態で、再度、Ｙ軸方向の正の向きに閾値Ｔｈ以上の力が作用した場合、さらに隣のオブジェクトＰＣ−００６を選択した状態の画面表示をタッチスクリーン１０５に実行させるように、携帯型電話機１を構成してもよい。この場合、ユーザは、最初の入力位置に指９０１を接触させた状態のままで、Ｙ軸方向の正の向きに閾値Ｔｈ以上の力を加えるたびに次のオブジェクトを選択することが可能となる。なお、Ｙ軸方向の正の向きに力を作用させる例に挙げているが、Ｙ軸方向の負の向きに力を作用させる場合には、当該向きに閾値Ｔｈ以上の力を作用させる度に、画面の上方向のオブジェクト（オブジェクトＰＣ−００３→オブジェクトＰＣ−００２）が順に選択されることになる。
【００８０】
（携帯型電話機１の処理のまとめ）
ここで、携帯型電話機１の処理内容を、４つの圧力センサのうちの１つの圧力センサ（以下では、便宜上、圧力センサ１１１とする）に着目して記述すると以下のとおりである。
【００８１】
（１）ＣＰＵ１０１は、検出された圧力が閾値Ｔｈ以上である場合に、タッチ入力に基づくタッチスクリーン１０５への入力位置が、タッチ入力がなされた状態で側面５０１の向きに変化したときには、第１の表示処理をタッチスクリーン１０５に実行させる。ＣＰＵ１０１は、圧力センサ１１１によって検出された圧力がＴｈ以上である場合に、タッチ入力に基づくタッチスクリーン１０５への入力位置が、タッチ入力がなされた状態で側面５０１の向きに変化しなかったときには、第３の表示処理をタッチスクリーン１０５に実行させる。
【００８２】
したがって、携帯型電話機１は、タッチスクリーン１０５への入力位置が、タッチ入力がなされた状態で側面５０１の向きに変化した場合と変化しなかった場合とで、異なる表示処理をタッチスクリーン１０５に実行させることができる。
【００８３】
（２）具体的には、ＣＰＵ１０１は、タッチスクリーン１０５に選択可能な複数のオブジェクトを表示させる。ＣＰＵ１０１は、第１の表示処理として、上記変化に基づいた画像のスクロール処理をタッチスクリーン１０５に実行させる（図９（ｂ），図１０のステップＳ１１０）。また、ＣＰＵ１０１は、第３の表示処理として、入力位置のオブジェクト（たとえばオブジェクトＰＣ−００４）の隣のオブジェクト（たとえばオブジェクトＰＣ−００５）を選択した状態の画面表示を、タッチスクリーン１０５に実行させる（図９（ｃ），図１０のステップＳ１１４）。
【００８４】
したがって、ユーザは、圧力センサ１１１に閾値以上の圧力を加えた状態において入力位置を変化させないことによって、選択状態にあるオブジェクトを隣のオブジェクトに変更することができる。
【００８５】
（３）より正確には、ＣＰＵ１０１は、入力位置のオブジェクトの隣のオブジェクトであって、かつ圧力を加えた側に表示されているオブジェクトを選択状態とする。それゆえ、ユーザは、圧力センサ１１１に閾値以上の圧力を加えた状態において入力位置を変化させないことによって、選択状態にあるオブジェクトを隣のオブジェクトであって、かつ圧力を加えた側に表示されているオブジェクトに変更することができる。
【００８６】
なお、入力位置のオブジェクトの隣のオブジェクトであって、かつ圧力を加えた側とは反対側に表示されているオブジェクトを選択状態とするように、携帯型電話機１を構成することも可能である。
【００８７】
＜第２の変形例＞
上記においては、圧力センサ１１１〜１１４に加わる圧力が閾値Ｔｈ以上になるか否かに基づいて、第１の表示処理を実行するか、あるいは第２の表示処理を実行するかを決定する構成を例に挙げて説明した。しかしながら、このような構成に限定されるものではない。
【００８８】
タッチスクリーン１０５に入力を行なったときに加わる圧力を基準圧力とし、当該基準圧力との差が閾値を超えた場合に第１の表示処理を実行し、当該基準圧力との差が閾値を超えない場合に第２の表示処理を実行するように、携帯型電話機１を構成してもよい。
【００８９】
つまり、前記プロセッサは、タッチスクリーン１０５へのタッチ入力がなされた状態で、圧力センサによって閾値Ｔｈ以上の圧力変化が検出されたときには第１の表示処理をタッチスクリーン１０５に実行させ、閾値Ｔｈ以上の圧力変化が検出されなかったときには第２の表示処理をタッチスクリーン１０５に実行させるように、携帯型電話機１を構成してもよい。
【００９０】
＜第３の変形例＞
上記においては、説明を簡略化するため、便宜上、タッチスクリーン１０５を保持するための接触圧を“０”として説明した。しかし、実際には、タッチスクリーン１０５の自重により、タッチスクリーン１０５に対するタッチ操作が行なわれていない場合であっても、１つの圧力センサの検出値が他の圧力センサの検出値とが異なる。このような場合を考慮し、閾値Ｔｈを、圧力センサ１１１〜１１４で個別に設定してもよい。たとえば、通常の持ち方で下側となる圧力センサに関する閾値Ｔｈを他の圧力センサの閾値Ｔｈよりも高くすればよい。このような構成により、ユーザの操作感を向上させることができる。
【００９１】
＜第４の変形例＞
上記においては、図８のステップＳ６，Ｓ８および図１０のステップＳ１０８において、タッチパネル１０５２への入力位置が変化したか否かを判断した。この場合、入力位置の変化が予め定められた距離以上となった場合に、「入力位置が変化した」とＣＰＵ１０１が判断するように、携帯型電話機１を構成してもよい。入力位置が変化したか否かを判断するための閾値は、フラッシュメモリ１０４に予め格納させておけばよい。また、当該閾値および上述した圧力に関する閾値Ｔｈは、ユーザが設定可能なように構成しておくことが、ユーザの利便性の面からの好ましい。
【００９２】
＜第５の変形例＞
上記においては、表示部の一例としてタッチスクリーン１０５を例に挙げて説明したが、これに限定されるものではない。つまり、タッチ位置の座標を検出し、かつ画像を表示するためのデバイスは、特に限定されるものではない。たとえば、タッチスクリーン１０５の代わりに、光センサ液晶のような画像スキャン機能を有するデバイスを携帯型電話機１の表示部として用いてもよい。
【００９３】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００９４】
１  携帯型電話機、１０  筐体、１０ａ  開口部、１０１  ＣＰＵ、１０４  フラッシュメモリ、１０５  タッチスクリーン、１０７  操作キー、１０９  カードリーダライタ、１１１〜１１４  圧力センサ、５００  主面、５０１〜５０４  側面、５０５  裏面、１０５１  ディスプレイ、１０５２  タッチパネル、１０９１  メモリカード。
【図１】
2013137697.tif 000003
【図２】
2013137697.tif 000004
【図３】
2013137697.tif 000005
【図４】
2013137697.tif 000006
【図５】
2013137697.tif 000007
【図６】
2013137697.tif 000008
【図７】
2013137697.tif 000009
【図８】
2013137697.tif 000010
【図９】
2013137697.tif 000011
【図１０】
2013137697.tif 000012